(57)【要約】      （修正有）【課題】単独で電子機器に対する充電及びメモリの拡充が可能なプラグ電気コネクタ、及びこのプラグ電気コネクタを具備するケーブルアセンブリを提供する。【解決手段】プラグ電気コネクタ１は、回路基板１０と、伝送電力を提供できる複数の第１の導電端子２０を有し回路基板の上面に設けられる第１の端子群と、回路基板の底面に設けられるメモリコネクタ４０とを有する回路基板アセンブリと、メモリコネクタに装着される記憶メモリモジュール４７と、回路基板アセンブリ及び記憶メモリモジュールを収納するように収容空間が前後に貫通して形成されるシールドケース５０とを備える。【選択図】図３
0003201362.tif 000002
【実用新案登録請求の範囲】
【請求項１】
充電及びデータの記憶又はバックアップ可能なプラグ電気コネクタにおいて、
回路基板と、伝送電力を提供できる複数の第１の導電端子を有し回路基板の上面に設けられる第１の端子群と、回路基板の底面に設けられるメモリコネクタと、を有する回路基板アセンブリと、
メモリコネクタに装着される記憶メモリモジュールと、
該回路基板アセンブリ及び該記憶メモリモジュールを収納するように収容空間が前後に貫通して形成されるシールドケースと
を備えるプラグ電気コネクタ。
【請求項２】
記憶メモリモジュールは着脱不能にメモリコネクタに装着される請求項１に記載のプラグ電気コネクタ。
【請求項３】
記憶メモリモジュールは着脱可能にメモリコネクタに装着される請求項１に記載のプラグ電気コネクタ。
【請求項４】
メモリコネクタは固定ブラケット及び複数の信号端子を有し、該固定ブラケットは回路基板の底面に固定されており、該記憶メモリモジュールを収納するように固定ブラケットの底面に組立て溝が形成されており、該複数の信号端子は固定ブラケット内に固定されており、該記憶メモリモジュールは、それぞれ該複数の信号端子と電気的に接触するように上面に複数の金属接点を有している請求項１、請求項２又は請求項３に記載のプラグ電気コネクタ。
【請求項５】
回路基板アセンブリは第２の端子群を更に備え、この第２の端子群が回路基板の上面に設けられ且つ複数の第２の導電端子を含む請求項４に記載の充電及びデータの記憶又はバックアップ可能なプラグ電気コネクタ。
【請求項６】
保護ケースを更に備え、この保護ケースにはシールドケースを収納するように空洞が形成される請求項５に記載のプラグ電気コネクタ。
【請求項７】
ユニバーサル・シリアル・バス（Ｕｎｉｖｅｒｓａｌ  Ｓｅｒｉａｌ  Ｂｕｓ，ＵＳＢ）２．０規格を満たしている請求項６に記載のプラグ電気コネクタ。
【請求項８】
ユニバーサル・シリアル・バスＵＳＢ３．０規格を満たしている請求項６に記載の充電及びデータの記憶又はバックアップ可能なプラグ電気コネクタ。
【請求項９】
充電及びデータの記憶又はバックアップ可能なケーブルアセンブリにおいて、
回路基板アセンブリと記憶メモリモジュールとシールドケースとを有する充電及びデータの記憶又はバックアップ可能なプラグ電気コネクタと、
装置側プラグ電気コネクタと、
プラグ電気コネクタと装置側プラグ電気コネクタとの間に接続されたケーブル本体と
を備え、
該回路基板アセンブリは、回路基板と、伝送電力を提供できる複数の第１の導電端子を有し回路基板の上面に設けられる第１の端子群と、回路基板の底面に設けられるメモリコネクタとを有し、
該記憶メモリモジュールは、メモリコネクタに装着され、
該シールドケースは、該回路基板アセンブリ及び該記憶メモリモジュールを収納するように収容空間が前後に貫通して形成されるケーブルアセンブリ。
【考案の詳細な説明】
【技術分野】
【０００１】
本考案は、充電及びデータの記憶又はバックアップ可能なプラグ電気コネクタ、及びこのプラグ電気コネクタを具備するケーブルアセンブリに関する。本考案は、電気コネクタに関し、特に充電及びデータの記憶又はバックアップ可能なプラグ電気コネクタ及びこのプラグ電気コネクタを具備するケーブルアセンブリに関し、この電気コネクタが充電器に接続されることが可能であり且つ記憶メモリモジュールを内蔵することによって、ケーブルアセンブリは、一端が電気コネクタを介して上記充電器に接続され、他端が電子機器に接続されるため、電子機器に電力を提供でき、且つ電子機器が電気コネクタにおける記憶メモリモジュールにアクセスできる。
【背景技術】
【０００２】
従来のスマートフォン、タブレット等の携帯式電子機器には、内部のアプリケーションプログラムを実行するためにバッテリー及び記憶メモリを内蔵している。内蔵されたバッテリーの容量が制限されているため、携帯式電子機器は一定時間使用すると、充電ケーブルを介して充電器に接続することにより電源ソケットに接続して充電することが必要となる。従って、普通、充電ケーブルは電子機器の使用者が一緒に持つ付属品となっている。
【０００３】
そして、一部の携帯式電子機器は記憶メモリの拡充スロットを有せず、アプリケーションプログラム又は写真、その他のファイル書類を記憶するために、内蔵された記憶メモリしか利用できず、内部の記憶メモリの容量を使い切る直前に、容量の使い切りによる電子機器の作業システムの異常又は稼働効率低下を避けるように、使用者は記憶メモリ内のアプリケーションプログラム及び書類を削除しなければならない。内蔵された記憶メモリの容量の不足という問題を解決するために、有線方式又は無線方式で電子機器に接続できる外部記憶装置を開発させることによって、電子機器の追加のメモリ記憶容量を提供するが、このような外部記憶装置は一定の体積及び重量を有し、電子機器の使用者に対し携帯上の負担となる。
【考案の概要】
【考案が解決しようとする課題】
【０００４】
本考案は、従来の電子機器がケーブルを介して充電される必要があり且つ対応する外部記憶装置によって携帯上の不便を齎すなどの問題に鑑みてなされたものであって、その不足お及び欠陥を改善して、充電及びデータの記憶又はバックアップ可能なプラグ電気コネクタ及びこのプラグ電気コネクタを具備するケーブルアセンブリを提供する。
【０００５】
本考案の主な目的は、充電及びデータの記憶又はバックアップ可能なプラグ電気コネクタ及びこのプラグ電気コネクタを具備するケーブルアセンブリを提供することにあり、この電気コネクタが充電器に接続されることが可能であり且つ記憶メモリモジュールを内蔵することによって、ケーブルアセンブリは一端が電気コネクタを介して上記充電器に接続され、他端が電子機器に接続されるため、電子機器に電力を提供でき、且つ電子機器が電気コネクタにおける記憶メモリモジュールにアクセスすることができる。
【課題を解決するための手段】
【０００６】
上記の目的を達成するために、上記の充電及びデータの記憶又はバックアップ可能なプラグ電気コネクタは、
回路基板と、伝送電力を提供できる複数の第１の導電端子を有し回路基板の上面に設けられる第１の端子群と、回路基板の底面に設けられるメモリコネクタと、を有する回路基板アセンブリと、
メモリコネクタに装着される記憶メモリモジュールと、
上記回路基板アセンブリ及び記憶メモリモジュールを収納するように収容空間が前後に貫通して形成されるシールドケースと
を備えるように構成される。
【０００７】
上記技術手段によれば、充電及びデータの記憶又はバックアップ可能な当該プラグ電気コネクタからさらにケーブルアセンブリが組み立てられた後、回路基板アセンブリにおける第１の導電端子により電子機器に対して電力伝送機能を提供でき、且つ、回路基板に装着される記憶メモリモジュールは電子機器の追加の拡充記憶容量を提供でき、使用者は電子機器内の書類を記憶メモリモジュールに移動し、或いは、記憶メモリモジュール内の書類を読み取ることにより、内蔵の記憶メモリの使い切りによる作業システムの異常又は稼働効率低下という問題を低減することができる。
【０００８】
上記記憶メモリモジュールは着脱不能にメモリコネクタに装着される。
【０００９】
上記記憶メモリモジュールは着脱可能にメモリコネクタに装着される。
【００１０】
上記メモリコネクタは固定ブラケット及び複数の信号端子を有し、この固定ブラケットは回路基板の底面に固定されており、上記記憶メモリモジュールを収納するように固定ブラケットの底面に組立て溝が形成されており、上記複数の信号端子は固定ブラケット内に固定されており、記憶メモリモジュールは、それぞれ該複数の信号端子と電気的に接触するように上面に複数の金属接点を有している。
【００１１】
上記回路基板アセンブリは、第２の端子群を更に備えており、この第２の端子群が回路基板の上面に設けられ且つ複数の第２の導電端子を含む。
【００１２】
上記の充電及びデータの記憶又はバックアップ可能なプラグ電気コネクタは、更に保護ケースを備えており、この保護ケースにはシールドケースを収納するように空洞が形成される。
【００１３】
上記の充電及びデータの記憶又はバックアップ可能なプラグ電気コネクタは、ユニバーサル・シリアル・バス（Ｕｎｉｖｅｒｓａｌ  Ｓｅｒｉａｌ  Ｂｕｓ，ＵＳＢ）２．０規格を満たしている。
【００１４】
上記充電及びデータの記憶又はバックアップ可能なプラグ電気コネクタは、ユニバーサル・シリアル・バスＵＳＢ３．０規格を満たしている。
【００１５】
本考案のもう一つの目的は、充電及びデータの記憶又はバックアップ可能なケーブルアセンブリにおいて、
回路基板アセンブリと記憶メモリモジュールとシールドケースとを有する充電及びデータの記憶又はバックアップ可能なプラグ電気コネクタと、
装置側プラグ電気コネクタと、
プラグ電気コネクタと装置側プラグ電気コネクタとの間に接続されたケーブル本体と
を備え、
上記回路基板アセンブリは、回路基板と、伝送電力を提供できる複数の第１の導電端子を有し回路基板の上面に設けられる第１の端子群と、回路基板の底面に設けられるメモリコネクタとを有し、
上記記憶メモリモジュールは、メモリコネクタに装着され、
上記シールドケースは、上記回路基板アセンブリ及び記憶メモリモジュールを収納するように収容空間が前後に貫通して形成されるケーブルアセンブリを提供することにある。
【図面の簡単な説明】
【００１６】
【図１】本考案の斜視外観図である。
【図２】本考案の別の斜視外観図である。
【図３】本考案の部分拡大の斜視分解図である。
【図４】本考案の別の部分拡大の斜視分解図である。
【図５】本考案の部分拡大の側面断面図である。
【考案を実施するための形態】
【００１７】
図１〜図３を参照し、本考案に係る充電及びデータの記憶又はバックアップ可能なプラグ電気コネクタ１は、さらに、装置側コネクタ２及びケーブル本体３と互いに組み立てケーブルアセンブリを構成することが可能であり、上記ケーブル本体３はプラグ電気コネクタ１と装置側コネクタ２との間に接続されるものである。
【００１８】
充電及びデータの記憶又はバックアップ可能な当該プラグ電気コネクタ１は、回路基板アセンブリと記憶メモリモジュール４７とシールドケース５０と保護ケース６０とを備える。
【００１９】
更に図４と図５を参照しつつ説明すると、上記回路基板アセンブリは、回路基板１０と第１の端子群とメモリコネクタ４０とを有し、この第１の端子群は回路基板１０の上面１１に設けられ、且つ、伝送電力を提供できる複数の第１の導電端子２０を有し、上記メモリコネクタ４０は回路基板１０の底面１２に設けられている。このメモリコネクタ４０は固定ブラケット４１及び複数の信号端子４５を有し、この固定ブラケット４１は回路基板１０の底面１２に固定され、固定ブラケット４１の底面に組立て溝４１０が形成されており、上記複数の信号端子４５は固定ブラケット４１内に固定される。回路基板アセンブリは、第１の端子群のみを有する場合、充電及びデータの記憶又はバックアップ可能な当該プラグ電気コネクタ１は、ユニバーサル・シリアル・バスＵＳＢ２．０規格を満たすように設計されることができる。
【００２０】
上記回路基板アセンブリは、更に第２の端子群を備えることができ、この第２の端子群は回路基板１０の上面１１に設けられ、且つ、複数の第２の導電端子３０を含み、これによって、充電及びデータの記憶又はバックアップ可能な当該プラグ電気コネクタ１は、ユニバーサル・シリアル・バスＵＳＢ３．０規格を満たすように設計されることも可能である。
【００２１】
該記憶メモリモジュール４７は、Ｍｉｃｒｏ  Ｓｅｃｕｒｅ  Ｄｉｇｉｔａｌ（ＳＤ）カード規格又は他の軽薄短小な記憶カード規格とされることが可能であり、着脱可能にメモリコネクタ４０の組立て溝４１０内に装着でき、例えば、挿設の方式で装着されることができ、着脱不能にメモリコネクタ４０の組立て溝４１０内に装着でき、例えば、溶接、粘着という方式で装着されることができる。そして、該記憶メモリモジュール４７は、それぞれ該複数の信号端子４５と電気的に接触するように、上面１１に複数の金属接点４７１を有している。
【００２２】
該シールドケース５０には、上記回路基板アセンブリ及び記憶メモリモジュール４７を収納するように、収容空間５００が前後に貫通して形成される。
【００２３】
該保護ケース６０は、ゴム又はプラスチックであることができ、該保護ケース６０にはシールドケース５０を収納するように空洞６００が形成されている。
【００２４】
上記の技術手段によれば、該充電及びデータの記憶又はバックアップ可能なプラグ電気コネクタ１からさらにケーブルアセンブリが組み立てられた後、回路基板アセンブリにおける第１の導電端子２０により電子機器に対して電力伝送機能を提供でき、且つ、回路基板に装着される記憶メモリモジュール４７は電子機器の追加の拡充記憶容量を提供でき、使用者は電子機器内の書類を該記憶メモリモジュール４７に移動し、或いは、該記憶メモリモジュール４７内の書類を読み取ることにより、内蔵の記憶メモリの使い切りによる作業システムの異常又は稼働効率低下という問題を低減することができる。
【符号の説明】
【００２５】
１  充電及びデータの記憶又はバックアップ可能なプラグ電気コネクタ
２  装置側コネクタ
３  ケーブル本体
１０  回路基板
１１  上面
１２  底面
２０  第１の導電端子
３０  第２の導電端子
４０  メモリコネクタ
４１  固定ブラケット
４１０  組立て溝
４７  記憶メモリモジュール
４７１  金属接点
５０  シールドケース
５００  収容空間
６０  保護ケース
６００  空洞
【図１】
0003201362.tif 000003
【図２】
0003201362.tif 000004
【図３】
0003201362.tif 000005
【図４】
0003201362.tif 000006
【図５】
0003201362.tif 000007